Podtech/llm-jp-corpus-v4-ja_patent huggingface dataset:
(57)【要約】【課題】移動時の荷物軽減と釣りをしている時にバスロッドを立たせておくことである。【解決手段】二股の脚を安定させるために▲８▼の支持具と▲５▼の伸縮する脚部を設け、バスロッドを立てて固定するために▲４▼のカップと▲２▼のスポンジを付けた振れ止めを設ける。又、荷物を掛けられるように▲３▼のフックを設ける。又、移動時に持ちやすくするために、▲１▼の脚を閉じて固定するのに▲９▼のホルダ−と▲７▼の取っ手を設ける。【選択図】  図１
2005040044.tif 000002
【特許請求の範囲】
【請求項１】
振れ止めを設け、バスロッドを数本固定し、安定させ移動が出来ることを特徴とするバスロッドスタンド。
【請求項２】
スタンドの脚を広げ、ボタンを押し横に伸ばすことで、バスロッドを数本安定させ立てられることを特徴とするバスロッドスタンド。
【発明の詳細な説明】
【０００１】
【発明の属する技術分野】
本発明は陸からのバスフィッシングに使用するバスロッドスタンドである。
【０００２】
【従来の技術】
従来、陸からのバスフィッシングは数本のバスロッドを持って行った場合、移動するのにバスロッドが持ちにくかった。又、釣りをしている時、残りのバスロッドは地面に置いておくしかないので、自分で踏んだり他の人に踏まれるおそれがあった。
【０００３】
【発明が解決しようとする課題】
バスフィッシングは場所を移動しながらする釣りであり、バスフィッシングをする人は使うルア−によってバスロッドを使い分けるので、バスロッドを数本持っていき移動時は持ちにくく、置いておくときは踏んだり踏まれるおそれがあった。
そこで、この発明は、数本のバスロッドをまとめて持ちやすく、立てることにより、踏まれるおそれのないバスロッドスタンドを提供することを課題とする。
【０００４】
【課題を解決するための手段】
以上の課題を解決するために、請求項１の発明は、振れ止めを設けバスロッドを数本固定し安定させ移動が出来ることを特徴とするバスロッドスタンドである。
又、請求項２の発明はスタンドの脚部にボタンを設け、押すことにより伸縮し、安定して立てられることを特徴とするバスロッドスタンドである。
【０００５】
【発明の実施の形態】
この発明の一実施形態を、図１で説明する。
図の▲１▼の二股の脚に▲８▼の支持金具を付け、開きすぎを防止すると共に、移動時には閉じることが出来る。また、脚を閉じた時には▲９▼のホルダ−にはめ、固定が出来る。また、▲５▼にスプリングを内蔵して▲６▼のボタンを押すことにより、伸ばし安定して立てられ、押し戻して縮めたときにはボタンが掛かり止まるものである。
【０００６】
又、▲４▼の円形のカップにバスロッドの柄を差込み、▲２▼のスポンジを付けた振れ止めでバスロッドを挟み▲７▼の取っ手を持つことにより、バスロッドを数本立たせても楽に移動が出来る。又、▲４▼のカップは底に水抜き穴を設け、水が抜けるものである。
【０００７】
釣りをしている時は、▲１▼の二股の脚を開き▲５▼を伸ばし、使っていないバスロッドを立てておき、▲３▼のフックにルア−バック等を掛けることが出来る。
【０００８】
【発明の効果】
以上説明したように、この発明によれば、バスロッドを数本まとめて収められることにより、移動時は楽に、釣りをしている時は使っていないバスロッドを立て、ルア−バック等をまとめて収めておけるので釣りがしやすい。又、立ててあるので場所を取らず、踏まれるおそれがない。
【図面の簡単な説明】
【図１】本発明に係るバスロッドスタンドにバスロッドを立てた仮想図。
【図２】本発明に係るバスロッドスタンドの前面斜視図。
【図３】本発明に係るバスロッドスタンドの後面斜視図。
【図４】本発明に係るバスロッドスタンド脚部の斜視図。
【符号の説明】
１  本体
２  スポンジを付けた振れ止め
３  フック
４  カップ
５  脚部
６  押しボタン
７  取っ手
８  支持金具
９  ホルダ−
【図１】
2005040044.tif 000003
【図２】
2005040044.tif 000004
【図３】
2005040044.tif 000005
【図４】
2005040044.tif 000006
(57)【要約】    【課題】ペットから抜脱した体毛が付着しにくいペット用敷物カバー２の提供。    【解決手段】このカバー２は、前地６と、第一後地８と、第二後地１０とを備えている。第一後地８の縁部１２は、一端１４を除き、図示されない糸によって前地６の縁部１６と縫い合わされている。第二後地１０の縁部１８は、一端２０を除き、図示されない糸によって前地６の縁部１６と縫い合わされている。縫い合わせによりカバー２は、全体として袋状を呈する。第一後地８の一端１４の近傍と第二後地１０の一端２０の近傍とは、重ね合わされている。この重ね合わされた部分が開かれて、カバー２の中に布団４が挿入される。前地６は、サテン地からなる。この前地６にはペットから抜脱した体毛が絡みにくい。【選択図】図２
2005040077.tif 000002
【特許請求の範囲】
【請求項１】
ペット用の敷物カバーであって、
ペットと当接する部分がサテン地からなることを特徴とする敷物カバー。
【発明の詳細な説明】
【技術分野】
【０００１】
本発明は、布団、マット、クッション等のペット用敷物に適用されるカバーに関する。
【背景技術】
【０００２】
犬を室内で飼育する者は、この犬のためにベッドを用意する。ベッドには、保温の目的及び犬の寝心地向上の目的で、布団が敷かれる。この布団が犬の食べ物や汚物によって汚れることを防止する目的で、布団にはカバーが掛けられる。ベッド以外の場所（屋外を含む）に敷かれる敷物にも、同様の目的でカバーが掛けられることがある。
【発明の開示】
【発明が解決しようとする課題】
【０００３】
夏毛と冬毛とが抜け替わる犬種が多いので、抜脱した体毛の処理は飼い主を悩ませる。飼い主は、体毛をほうきで掃き寄せたり、粘着ローラに付着させたりして、体毛を処理している。
【０００４】
抜脱した体毛が、敷物カバーに付着することがある。体毛はカバーの生地と絡み合うので、飼い主は付着した体毛を容易には取り除けない。同様の問題は、猫、ウサギ、猿等のペットでも生じる。
【０００５】
本発明の目的は、ペットから抜脱した体毛が付着しにくいペット用敷物カバーの提供にある。
【課題を解決するための手段】
【０００６】
本発明に係るペット敷物カバーは、ペットと当接する部分がサテン地からなる。
【発明の効果】
【０００７】
本発明に係るペット敷物カバーには、ペットの体毛が付着しにくい。また、この敷物カバーに体毛が付着した場合でも、取り除きが容易である。
【発明を実施するための最良の形態】
【０００８】
以下、適宜図面が参照されつつ、好ましい実施形態に基づいて本発明が詳細に説明される。
【０００９】
図１は本発明の一実施形態に係るペット用敷物カバー２（以下単に「カバー」とも称される）が示された斜視図であり、図２は図１のII−II線に沿った断面図であり、図３は図１のIII−III線に沿った断面図である。図２及び図３には、カバー２とともに、布団４が示されている。
【００１０】
このカバー２は、前地６と、第一後地８と、第二後地１０とを備えている。第一後地８の縁部１２は、一端１４を除き、図示されない糸によって前地６の縁部１６と縫い合わされている。第二後地１０の縁部１８は、一端２０を除き、図示されない糸によって前地６の縁部１６と縫い合わされている。縫い合わせによりカバー２は、全体として袋状を呈する。第一後地８の一端１４の近傍と第二後地１０の一端２０の近傍とは、重ね合わされている。この重ね合わされた部分が開かれて、カバー２の中に布団４が挿入される。
【００１１】
このカバー２及び布団４は、前地６が上側となり第一後地８及び第二後地１０が下側となるように、床やベッドの上に置かれる。換言すれば、ペットと直接当接するのは、前地６である。このカバー２の前地６にはサテン地が用いられている。
【００１２】
サテン地とは、狭義には絹が繻子織りされた光沢のある織物を意味し、広義には絹、化学繊維等が繻子織りされた光沢がある織物を意味する。本発明では、絹以外の繊維が用いられる場合も含めて、サテン地と称される。前地６に好適な材質としては、ナイロン、ポリエステル及びレーヨンが例示される。
【００１３】
図４は、前地６の一部が示された模式的拡大図である。この図には、表側から見られた前地６が示されている。前地６は、縦糸Ａと横糸Ｂとが織られることによって構成されている。この縦糸Ａは、主として横糸Ｂの移動を拘束する役割を果たす。１本の横糸Ｂ１に着目すれば、この横糸Ｂ１は１本の縦糸Ａ１の裏側を通過して表側に現れ、この縦糸Ａ１に隣接する４本の縦糸Ａ２、Ａ３、Ａ４、Ａ５の表側を通過している。さらに横糸Ｂ１は、縦糸Ａ５に隣接する縦糸Ａ６の裏側を通過している。１本の縦糸Ａ１に着目すれば、この縦糸Ａ１は１本の横糸Ｂ１の表側を通過して裏側に回り込み、この横糸Ｂ１に隣接する４本の横糸Ｂ２、Ｂ３、Ｂ４、Ｂ５の裏側を通過している。さらに縦糸Ａ１は、横糸Ｂ５に隣接する横糸Ｂ６の表側に回り込んでいる。このような織り組織は、五枚繻子織りと称される。四枚繻子織り、六枚繻子織り、八枚繻子織り等の織り組織が採用されてもよい。
【００１４】
図４から明らかなように、サテン地では、横糸Ｂが縦糸Ａの裏側に回り込む箇所が少ない。このような織り組織には、体毛が絡みにくい。この織り組織を備えた前地６には、ペットから抜脱した体毛が付着しにくく、もし体毛が付着してもこの取り除きが容易である。
【００１５】
第一後地８及び第二後地１０にも、前地６と同様のサテン地が用いられるのが好ましい。これにより、体毛がカバー２の裏側に回り込んだ場合や、カバー２が裏向けに用いられた場合の体毛の付着が防止されうる。
【００１６】
布団４に代えて、マット、クッション等がカバー２で覆われてもよい。カバーの形態は、袋状には限られない。布団４等が覆われる形態であれば足りる。
【産業上の利用可能性】
【００１７】
本発明に係るカバー２は、体毛が抜脱する種々の動物に適用されうる。
【図面の簡単な説明】
【００１８】
【図１】図１は、本発明の一実施形態に係るペット用敷物カバーが示された斜視図である。
【図２】図２は、図１のII−II線に沿った断面図である。
【図３】図３は、図１のIII−III線に沿った断面図である。
【図４】図４は、前地の一部が示された模式的拡大図である。
【符号の説明】
【００１９】
２・・・ペット用敷物カバー
４・・・布団
６・・・前地
８・・・第一後地
１０・・・第二後地
【図１】
2005040077.tif 000003
【図２】
2005040077.tif 000004
【図３】
2005040077.tif 000005
【図４】
2005040077.tif 000006
(57)【要約】【課題】大豆を原料とする食品、特に豆乳等の飲料は、独特の匂いと味がして必ずしも美味しいものではない。【解決手段】豆腐や豆乳の製造工程が得られるおからを原料とするおから茶の抽出液に一定量のイソフラボンを配合しておから茶飲料とする。【選択図】          なし【特許請求の範囲】
【請求項１】
焙煎したおからの抽出液に、イソフラボンを添加したことを特徴とするおから茶。
【請求項２】
１リットルの抽出液に対して、焙煎したおからの使用量が０．５ｇ〜５００ｇである請求項１記載のおから茶。
【請求項３】
焙煎したおからの抽出液１リットルに、イソフラボンを１ｍｇ〜１０００ｍｇ配合したことを特徴とする請求項１又は２記載のおから茶。
【発明の詳細な説明】
【０００１】
【発明の属する技術分野】
本発明は、イソフラボンを配合したおから茶の製造方法に関する。
【０００２】
【従来の技術】
大豆たんぱく質、ビタミン、サポニン、イソフラボン等の各種栄養成分を含む大豆を原料とした食品として豆腐、飲料として豆乳、大豆茶、おから茶等がある。飲料として生大豆を使用した飲料は、それ自体大豆独特の不快臭と、不快味（にがみ、渋み、えぐみ）がして美味しいとは言えない。
おから茶は、豆腐や、豆乳の製造工程で出来るおから、或いは大豆を絞った残査等を焙煎して作られ、その飲み物は、この焙煎物を熱水、又は冷水にて抽出処理することにより作られる。おから茶は、抽出液中に自然に大豆イソフラボンが含まれる為、健康に良い効果が得られることが知られており、健康茶として、特公平４−１２７０２号公報に記載されるものが製造、販売されている。
【０００３】
【特許文献１】
特公平４−１２７０２号公報
【０００４】
【発明が解決しようとする課題】
しかしながら、大豆関連飲料中のイソフラボン量は、使用する大豆の違いや、飲料の製造方法等により変動が激しく、常に一定のイソフラボン量を保つことは難しい。その為、イソフラボンを一定量添加した大豆飲料や、イソフラボンを一定量配合したその他の飲料が販売されている。
しかし、イソフラボンを添加した飲料は、大豆特有の不快臭、不快味がするので、大豆独特の不快臭、不快味のする健康飲料としてそのまま販売するか、加熱や、香味料の添加により不快臭、不快味の抑制を行うなどの工夫もなされている。
【０００５】
本発明は加熱や、香味料の添加無しに大豆の不快臭、不快味がせず、しかもイソフラボンが一定量配合された飲料を提供することを解決すべき課題とする。
【０００６】
【課題を解決するための手段】
本発明者らは、上記目的を達成する為鋭意検討を重ねた結果、焙煎したおからの抽出液に、イソフラボンを添加することにより、イソフラボンを一定量配合し、大豆独特の不快臭と、不快味がしない、美味しい飲料を見出すに至った。
【０００７】
生大豆の不快臭は、脂肪族カルボニル化合物、脂肪酸、アミン等によるものであり、不快味は、サポニン、フェノール類、配糖体等によるものである。生大豆を使用した食品、飲料では、大豆たんぱく質、ビタミン、サポニン、イソフラボン等の各種栄養成分を多く含む為、不快臭、不快味成分も多く含まれるが、通常、各種栄養成分が消失しないように不快臭、不快味については加熱や、香味料の添加により抑制を行う程度である。
【０００８】
大豆を焙煎して抽出したお茶では焙煎することにより、これら不快臭、不快味成分が減少する為、生大豆使用飲料に比べると不快臭、不快味が少ない。しかし大豆飲料として最も大事な栄養成分であるイソフラボン量に関しては、使用する大豆の違いや、飲料の製造方法等により変動が激しく、常に一定のイソフラボン量を保つことは難しい。そこでイソフラボンを添加した製品が販売されているが、イソフラボンを添加することにより、大豆の不快臭、不快味が強くなり、飲みにくくなる。これはイソフラボンに含まれる配糖体、サポニン、アミン等によるものと考えられる。
【０００９】
そこで、おから茶に大豆胚軸を添加することにより、イソフラボンの含有量を高めることが考えられている（特願２００２−１５３７７号）が、大豆胚軸中に含まれるイソフラボンの含有量は、１００ｇの胚軸中に１３５ｍｇ〜１５００ｍｇと、大豆の産地、種類、収穫時期など、使用する大豆により１１倍程度の差がある。
その為、製造前に、焙煎した大豆胚軸からのイソフラボン溶出量を前もって測定する必要があり、イソフラボンを一定量以上含むおから茶の製造工程上、問題である。また、焙煎した大豆胚軸の抽出液中には、大豆の不快臭、不快味成分が抽出される為、おから茶に対して６０％以上配合すると、良好な風味が得られないことが示されている。
【００１０】
本発明の飲料は、焙煎おからを抽出したおから茶にイソフラボンを添加することで、イソフラボンの含有量を高めても、大豆独特の不快臭と不快味がしない、美味しい飲料とすることができる。これは、おから茶中に存在するおからの繊維成分が、不快臭、不快味の成分を吸着することにより不快臭、不快味を感じなくなるものと考えられる。
【００１１】
【発明の実施の形態】
以下に、実施例、比較例、及び参考例を挙げてこの発明を更に具体的に説明するが、この発明の範囲は、これらの例示に限定されるものではない。
【００１２】
【実施例】
［実施例１］
１リットルの水中に、焙煎おからを０．５ｇ入れて沸騰させて抽出した焙煎おから抽出液に、イソフラボンを１ｍｇ配合する。
【００１３】
［実施例２］
１リットルの熱水中に、焙煎おからを１０ｇ入れて抽出した抽出液に、イソフラボンを５０ｍｇ配合する。
【００１４】
［実施例３］
濾布上に入れた５００ｇの焙煎おからに、１リットルの熱水を通して抽出した抽出液に、イソフラボンを２００ｍｇ配合する。
【００１５】
［実施例４］
１リットルの冷水中に、焙煎おからを５０ｇ入れて抽出した抽出液に、イソフラボンを１０００ｍｇ配合する。
【００１６】
［比較例］
比較例として、焙煎おからの代わりに大豆茶、日本茶、麦茶、ウーロン茶、水を用いて実施例１〜４と同様に、比較例１〜４のイソフラボン配合茶を作成した。大豆茶は、１〜５ｍｍ程度に粉砕して、焙煎した大豆を用いた。
【００１７】
［参考例］
１リットルの熱水中に、焙煎おからを５０ｇと、焙煎胚軸を１５０ｇ入れて焙煎胚軸配合の焙煎おから抽出液を作成した。
【００１８】
上記の実施例、比較例、及び参考例のイソフラボン添加茶を用いて、男１０名、女１０名の合計２０名に、香り、味の試験をしてもらい、表１、表２、及び表３のような結果を得た。
試験は、香り、味について、Ａ：良い、Ｂ：まあまあ、Ｃ：悪いの３段階で判定した。
【００１９】
【表１】
2005040002.tif 000002
【００２０】
【表２】
2005040002.tif 000003
【００２１】
【表３】
2005040002.tif 000004
【００２２】
参考例飲料中のイソフラボン含有量を高速液体クロマトグラフィにて分析した。その結果、１リットル中に４３６ｍｇのイソフラボンが確認された。
【００２３】
この結果より、焙煎おからを抽出したお茶に、イソフラボンを配合すると、美味しいお茶が得られることがわかった。更に、大豆胚軸を添加することにより得られたおから茶飲料に比べてイソフラボンを多量に添加しても、不快臭と、不快味がしない、美味しいおから茶飲料が得られることがわかった。
(57)【要約】【課題】練り製品を製造する工程において、加熱加工した練り製品を効率的に冷却するとともに保湿を保ち、品質の向上をはかる。【解決手段】加熱工程を経た練り製品の表面に水を付着する工程、及び、水を蒸発させ、同製品の冷却を行う工程からなる食品の冷却方法を提供する。水の付着は、ミスト状にして散布することが効果的である。水を付着した製品表面に送風することにより、当該水の蒸発を促進し、蒸発潜熱の効率を上げることもできる。【選択図】  図１
2005040003.tif 000002
【特許請求の範囲】
【請求項１】
加熱工程を経た食品の表面に水を付着させ、水を蒸発させて上記食品の冷却を行うことを特徴とする食品の冷却方法。
【請求項２】
水をミスト状にして食品表面に散布することを特徴とする請求項１に記載の食品の冷却方法。
【請求項３】
水を付着させた食品表面に送風して水の蒸発を促進するようにしたことを特徴とする請求項１若しくは２に記載の食品の冷却方法。
【請求項４】
上記食品をかまぼこ、ちくわ等の練り製品としたことを特徴とする請求項１乃至３のいずれかに記載の食品の冷却方法。
【発明の詳細な説明】
【発明の属する技術分野】
本発明は、食品製造において、加熱工程を経た食品を冷却する方法に関する。
【技術的背景】
蒲鉾やさつま揚げ、ソーセージ、惣菜などの食品を製造する工程においては、食品を加熱加工した後に、それを冷却する工程が設けられるが、この冷却に当たっては、当該食品をなるべく速く冷却することが、その品質向上の上から求められる。
魚肉ソーセージのような包装製品では、加熱加工した製品を冷水に浸漬することにより急冷することが行われている。これに対し、一般練り製品では、食品を冷温室に入れたり、冷風を送風して、効率的に冷却を行うことが図られているが、より効率的に冷却を行えるようにすることが望まれていた（たとえば、「非特許文献１」参照）。また、冷却室に入れたり、冷風で行う冷却は、製品表面を乾燥させ、品質を劣化させたり、変色を起こしたりする虞がある。
【非特許文献１】
岡田稔その他２名編集「魚肉練り製品  理論と応用」１９７４年８月１０日、恒星社厚生閣発行、１８０頁第１行〜第８行。
【発明の解決課題】
本発明は、このような点に鑑み、加熱加工後の食品を効率的且つ適切に冷却することができる、食品の冷却方法を提供することを目的としている。
【課題を解決するための手段】
すなわち、本発明は、加熱工程を経た食品の表面に水を付着させ、水を蒸発させて、上記食品の冷却を行う食品の冷却方法を提供する。水は、冷水に限ることなく、温水とすることも出来き、冷却する食品に応じて適宜選択することが出来る。
この方法によれば、水の蒸発による蒸発潜熱により食品を急速に効率的に、しかも、食品表面の乾燥による品質の劣化等を生じさせることなく冷却を行うことができる。
水を付着させる場合は、水を食品表面に連続的若しくは間欠的に付着させる。
水の付着は、当該水をミスト状にして散布することが効果的であり、排水を少なくすることが出来る。
また、水を付着させた食品表面に送風することにより、水の蒸発を促進し、蒸発潜熱の効率を上げることもできる。
冷却する食品としては、練り製品が特に適している。
【発明の実施の形態】
本発明は、特に蒲鉾などの魚肉練り製品の製造工程において加熱された魚肉材料を冷却するのに適しており、蒲鉾を例にとって述べれば、先ず、蒸し機から送り出されてきた蒲鉾の表面に、水を噴霧ノズルを通してミスト状にして散布し、蒲鉾の表面全体を当該水で濡らす。この水で濡らした蒲鉾表面には、乾燥した冷風を吹き付ける。この冷却工程は、蒲鉾が所定の温度に冷めるまで行われるが、この工程の間、水をノズルにより、連続的若しくは間欠的に供給する。水にはアルコール、糖、塩等を含ませることもできる。
【実施例１】
図１は、さつま揚げの冷却に本発明を適用した場合と、適用しなかった場合の実施例から得られたさつま揚げの冷却曲線を示す。
図１（１）は、噴霧ノズルを使用して水をミスと状にしてさつま揚げ表面全体に散布付着させ、これにドライエアを送風した場合であり、冷却線１，２及び３は、それぞれ、さつま揚げの中心での温度低下を示しており、曲線４は室温を示している。
図１（２）は、水及びドライエアを用いない（すなわち、通常の冷却）場合の冷却曲線を示している。冷却線１及び２は、それぞれ、さつま揚げの中心での温度低下を示している。図１（１）と比較した場合、冷却速度が極めて遅いことが分かる。
図１（３）は、ドライエアを使用せずに、水のみを供給した場合を示す。冷却速度は、図１（１）の場合よりは遅くなるが、図１（２）の場合よりもかなり速くなっていることが分かる。
【実施例２】
図２は、蒲鉾の保湿冷却に本発明を適用した場合と、適用しなかった場合の実施例から得られた蒲鉾の冷却曲線を示す。
図２（１）は、噴霧ノズルを使用して水をミスト状にして蒲鉾表面全体に付着させ、これにドライエアを送風した場合であり、冷却線１，２及び３は、それぞれ、蒲鉾の中心の温度低下を示しており、冷却曲線４は室温の変化を示している。
図２（２）は、水及びドライエアを用いない（すなわち、通常の冷却）場合の冷却曲線を示している。冷却線１，２及び３は、それぞれ、蒲鉾の中心での温度低下を示している。図２（１）と比較した場合、冷却速度が極めて遅いことが分かる。
【実施例３】
図３は、ちくわの冷却に本発明を適用した場合と、適用しなかった場合の実施例から得られた蒲鉾の冷却曲線を示す。
図３（１）は、噴霧ノズルを使用して水をミスト状にしてちくわ表面全体に付着させ、これにドライエアを送風した場合であり、冷却線１，２及び３は、それぞれ、ちくわの中心の温度低下を示しており、冷却曲線４は室温の変化を示している。この実施例でも、水を連続的に供給して、ちくわ表面が乾燥しないようにした。
図３（２）は、水及びドライエアを用いない（すなわち、放冷）場合の冷却曲線を示している。冷却線１及び２は、それぞれ、中心の温度低下を示している。図３（１）と比較した場合、冷却速度が極めて遅いことが分かる。
【図面の簡単な説明】
【図１】本発明の方法に従い、水をさつま揚げの表面に付着させ、ドライエアを送風した場合（１）、水をさつま揚げの表面に付着したがドライエアの送風は行わなかった場合（２）、水の付着もドライエアの送風も行わなかった場合（３）のさつま揚げの中心での冷却曲線を示す図である。
【図２】本発明の方法に従い、水を蒲鉾の表面に付着させ、ドライエアを送風した場合（１）、水の付着もドライエアの送風も行わなかった場合（２）の蒲鉾の中心での冷却曲線を示す図である。
【図３】本発明の方法に従い、水をちくわの表面に付着させ、ドライエアを送風した場合（１）、水の付着もドライエアの送風も行わなかった場合（２）のちくわの中心での冷却曲線を示す図である。
【図１】
2005040003.tif 000003
【図２】
2005040003.tif 000004
【図３】
2005040003.tif 000005
(57)【要約】【課題】調理しやすく、殻つきの料理にしたときにも食べやすい食用エビを提供することである。【解決手段】水揚げした姿のイセエビを、その長手方向に沿って縦断し、４体のスライス片２、３、４、５に分割して、各スライス片２、３、４、５の厚みを従来よりも薄くすることにより、殻６からエビ肉を外しやすくし、火の通りをよくして、調理しやすいものとするとともに、殻６つきの料理にしたときにも扱いやすく、食べやすいものになるようにしたのである。【選択図】  図２
2005040017.tif 000002
【特許請求の範囲】
【請求項１】
長手方向に沿って縦断されて、少なくとも３体に分割された食用エビ。
【発明の詳細な説明】
【０００１】
【発明の属する技術分野】
この発明は、イセエビ等の大型の食用エビに関する。
【０００２】
【従来の技術】
近年、食生活の多様化に伴い、これまで高級料理とされてきたイセエビの料理も、徐々に口に入る頻度が増えてきている。イセエビ料理は、イセエビを長手方向に沿って２つに縦断し、２分割した殻に調理したエビ肉を詰めて焼いたグラタンや、イセエビを長手方向に２分割してそのまま焼いたもの等、料理の豪華さを演出するために殻をつけた状態で食卓に出されることが多い。このため、イセエビは、通常、水揚げしたままの姿か、長手方向に２分割された状態で市販されている。
【０００３】
しかし、水揚げしたままの姿のイセエビを調理する際には、殻を割るときに、非常に手間がかかるし、殻で手を傷つけたりすることもある。これに比べると、２分割されたイセエビは、殻を割る必要がない分だけ調理しやすいが、その縦断面から殻の底までがかなり深いため、殻から肉を外しにくいし、殻つきで焼くときには火が通りにくく、調理時間が長くかかる。また、殻つきの料理にしたときは、特に女性や子供には大きくて扱いにくく、手等を汚しやすい。
【０００４】
【発明が解決しようとする課題】
そこで、この発明の課題は、調理しやすく、殻つきの料理にしたときにも食べやすい食用エビを提供することである。
【０００５】
【課題を解決するための手段】
上記の課題を解決するため、この発明は、食用エビを、その長手方向に沿って縦断し、少なくとも３体に分割するようにしたのである。
【０００６】
すなわち、食用エビを３体以上に縦断して、その一つひとつの厚みを薄くすることにより、殻から肉が外れやすく、火の通りもよくなって、調理しやすくなるとともに、殻つきの料理にしても食べやすいものとなるようにしたのである。
【０００７】
【発明の実施の形態】
以下、図面に基づき、この発明の実施形態を説明する。この食用エビは、図１および図２に示すように、水揚げした姿のイセエビ１を、その長手方向に沿って縦断し、４体のスライス片２、３、４、５に分割して、調理の際に殻６を割る手間を省いたものである。各スライス片２、３、４、５は、それぞれの厚みがほぼ同じになるように分割されている。
【０００８】
従って、この食用エビは、各スライス片２、３、４、５が従来のように２分割した場合よりも薄く、調理するときや殻６つきの料理にして食べるときに扱いやすい。
【０００９】
すなわち、殻６からエビ肉を外して調理する場合には、両側とも縦断面３ａ、４ａとなっている中央の２つのスライス片３、４の肉を外しやすいことはもちろん、片側が殻６に覆われている左右両側のスライス片２、５も、その縦断面２ａ、５ａから殻６の底までが浅いため、従来よりも楽に肉を外すことができる。
【００１０】
また、殻６に肉をつけたまま、あるいはグラタンのように調理した肉を殻６に詰めた状態で焼くときも、従来よりも火が通りやすく、調理時間が短くなる。
【００１１】
さらに、殻つきの料理にしたときには、女性や子供でも扱いやすく、手や衣服等を汚しにくいので、食べやすい。
【００１２】
なお、この食用エビを販売するときは、各スライス片２、３、４、５をまとめて一つに包装してもよいし、一片ずつまたは複数片ずつ別々に販売するようにしてもよい。また、生で販売することもできるし、生のまま冷凍したりボイルしてから冷凍して販売することもできる。
【００１３】
上述した実施形態では、イセエビを長手方向に４分割したが、３分割あるいは５分割以上としてもよい。また、そのときの各スライス片の厚みは、必ずしもすべて等しくする必要はなく、例えば両側のスライス片を薄めにして、エビ肉をより外しやすくすることもできる。
【００１４】
なお、この発明は、イセエビのほかにも、ロブスター等の大型の食用エビに有効に適用することができる。
【００１５】
【発明の効果】
以上のように、この発明の食用エビは、長手方向に沿って縦断されて、少なくとも３体に分割されたものであるから、従来のように２分割したものに比べて、殻から肉が外れやすく、火の通りもよい等、調理がしやすく、また殻つきの料理にしたときにも扱いやすく、食べやすい。
【図面の簡単な説明】
【図１】実施形態の食用エビの分割位置を示す平面図
【図２】図１の食用エビの分割状態を示す平面図
【符号の説明】
１  イセエビ
２、３、４、５  スライス片
２ａ、３ａ、４ａ、５ａ  縦断面
６  殻
【図１】
2005040017.tif 000003
【図２】
2005040017.tif 000004
(57)【要約】      （修正有）【課題】食鳥屠体湯漬器内での雑菌の繁殖を防止できる食鳥屠体湯漬器の異物排出装置を提供する。【解決手段】食鳥屠体湯漬器から導いた湯から異物を分離する異物分離装置と、異物分離装置を通過した湯を加熱する加熱装置と、加熱された湯を所定時間貯留する貯留タンクと、貯留タンク内の湯を食鳥屠体湯漬器へ圧送するポンプとを備える。【選択図】  図１
2005040012.tif 000002
【特許請求の範囲】
【請求項１】
食鳥屠体湯漬器から導いた湯から異物を分離する異物分離装置と、異物分離装置を通過した湯を加熱する加熱装置と、加熱された湯を所定時間貯留する貯留タンクと、貯留タンク内の湯を食鳥屠体湯漬器へ圧送するポンプとを備えることを特徴とする食鳥屠体湯漬器の異物排出装置。
【発明の詳細な説明】
【０００１】
【発明の属する技術分野】
本発明は、食鳥屠体湯漬器の異物排出装置に関するものである。
【０００２】
【従来の技術】
脱毛処理前の食鳥屠体を湯に漬けて脱毛処理を容易化するための食鳥屠体湯漬器が特許文献１に開示されている。
【０００３】
【特許文献１】特開平１１−１８６７３号公報
【０００４】
【発明が解決しようとする課題】
従来の食鳥屠体湯漬器には、食鳥屠体から離脱し湯に混入した異物を汚染源として食鳥屠体湯漬器内で雑菌が繁殖し、作業環境の悪化と製品の品質低下とを招くという問題があった。
本発明は上記問題に鑑みてなされたものであり、食鳥屠体湯漬器内での雑菌の繁殖を防止できる食鳥屠体湯漬器の異物排出装置を提供することを目的とする。
【０００５】
【課題を解決するための手段】
上記課題を解決するために、本発明においては、食鳥屠体湯漬器から導いた湯から異物を分離する異物分離装置と、異物分離装置を通過した湯を加熱殺菌する加熱殺菌装置と、加熱された湯を所定時間貯留する貯留タンクと、貯留タンク内の湯を食鳥屠体湯漬器へ圧送するポンプとを備えることを特徴とする食鳥屠体湯漬器の異物排出装置を提供する。
本発明に係る異物排出装置は、食鳥屠体湯漬器から導いた湯から汚染源である異物を除去し、異物を除去した湯を加熱殺菌して食鳥屠体湯漬器に戻すので、食鳥屠体湯漬器内での雑菌の繁殖を防止することができる。
【０００６】
【発明の実施の形態】
本発明の実施例に係る食鳥屠体湯漬器の異物排出装置を説明する。
図１に示すように、食鳥屠体湯漬器Ａは貯湯槽１と、貯湯槽１内に配設された蒸気管２とを備えている。蒸気管２には多数の蒸気噴出孔２ａが形成されている。貯湯槽１に供給された水が蒸気管２の蒸気噴出孔２ａから噴出する高温蒸気で加熱され６０℃程度の適温の湯となる。貯湯槽１の上方に配設された無端チェーン３からから垂下するシャックル４に吊り下げられた食鳥屠体Ｓが、無端チェーン３に従動して貯湯槽１の入口部で湯中に浸漬され、湯中を移動し、貯湯槽１の出口部で湯から引き上げられる。食鳥屠体Ｓは、適温の湯に浸漬されることにより、脱毛し易い状態になる。
【０００７】
異物排出装置Ｂは、貯湯槽１入口部の底部近傍側面から延びる通水管１１を備えている。通水管１１の下流端は両端が開放された円筒状の異物分離籠１２に接続されている。異物分離籠１２の中央部周側面１２ａはメッシュにより構成されている。異物分離籠１２は通水管１１の下流端が挿入された前端から後端へ向けて僅かに下方へ傾斜している。異物分離籠１２は、図示しない駆動装置により、中心軸線回りに回転駆動される。異物分離籠１２の後端直下に、シュート１３が配設されている。
異物分離籠１２の下方に、加熱部１４ａと貯湯部１４ｂと流出部１４ｃとを有する加熱貯湯槽１４が配設されている。異物分離籠１２の直下に位置する加熱部１４ａの天井壁は漏斗状に形成されており、中央部に開口１４ａ′が形成されている。加熱部１４ａと貯湯部１４ｂとは、加熱貯湯槽１４の天井壁から底壁近傍まで延びる仕切壁１４ｄによって仕切られている。仕切壁１４ｄの下端と加熱貯湯槽１４の底壁との間に隙間が形成されている。貯湯部１４ｂと流出部１４ｃとは、加熱貯湯槽１４の底壁から天井壁近傍まで延びる堰１４ｅによって仕切られている。
加熱部１４ａ内に蒸気管１５が配設されている。蒸気管１５に多数の蒸気噴出孔１５ａが形成されている。
加熱貯湯槽１４の流出部１４ｃ下部から延びる通水管１６が、ポンプ１７に接続している。ポンプ１７から延びる通水管１８が複数に分岐して、貯湯槽１出口部の底部近傍側面に接続している。
【０００８】
異物排出装置Ｂにおいては、通水管１１を介して食鳥屠体湯漬器Ａの貯湯槽１入口部から導いた湯を回転する異物分離籠１２に通し、食鳥屠体Ｓから離脱して湯中に混入した異物を湯から分離する。異物分離籠１２内に残留した異物は、シュート１３を通って異物分離籠１２から排出される。
異物分離籠１２のメッシュ製の中央部周側面１２ａを通って汚染源である異物が分離除去された湯は、直下に位置する加熱部１４ａの漏斗状の天井壁上に流れ落ち、当該天井壁の中央部に形成された開口１４ａ′を通って加熱部１４ａに流入する。蒸気管１５の蒸気噴出孔１５ａから噴出する高温蒸気により湯は９０〜９５℃に加熱される。加熱された湯は、仕切り１４ｄ下方の隙間を通って貯湯部１４ｂに流入し、高温状態で貯湯部１４ｂ内に所定時間滞留して殺菌される。殺菌された湯は堰１４ｅを乗り越えて流出部１４ｃに流入し、通水管１６を介してポンプ１７に吸引され、通水管１８を通って食鳥屠体湯漬器Ａの貯湯槽１出口部へ圧送される。
上記説明から分かるように、異物排出装置Ｂは、食鳥屠体湯漬器Ａから導いた湯から汚染源である異物を除去し、異物を除去した湯を加熱殺菌して食鳥屠体湯漬器Ａに戻すので、食鳥屠体湯漬器Ａ内での雑菌の繁殖を防止することができる。
【０００９】
【発明の効果】
本発明に係る異物排出装置は、食鳥屠体湯漬器から導いた湯から汚染源である異物を除去し、異物を除去した湯を加熱殺菌して食鳥屠体湯漬器に戻すので、食鳥屠体湯漬器内での雑菌の繁殖を防止することができる。
【図面の簡単な説明】
【図１】本発明の実施例に係る食鳥屠体湯漬器の異物排出装置の構造図である。
【符号の説明】
Ａ  食鳥屠体湯漬器
Ｂ  異物排出装置
１  貯湯槽
２、１５  蒸気管
１１、１６、１８  通水管
１２  異物分離籠
１４  加熱貯湯槽
１４ａ  加熱部
１４ｂ  貯湯部
１７  ポンプ
【図１】
2005040012.tif 000003
(57)【要約】【課題】昆布類に由来するぬめりと節類に由来する酸味がなく、かつ優れた旨味を有する合わせだしを得るための抽出方法を提供することを目的とする。【解決手段】昆布類を水と共に８５〜９５℃に達する迄加熱した後、昆布類を除去することなく、さらに節類を加えて加熱する、合わせだしの抽出方法。【選択図】  なし【特許請求の範囲】
【請求項１】
昆布類を水と共に８５〜９５℃に達する迄加熱した後、昆布類を除去することなく、さらに節類を加えて加熱することを特徴とする、合わせだしの抽出方法。
【発明の詳細な説明】
【０００１】
【発明の属する技術分野】
本発明は、昆布および節類由来の合わせだしの抽出方法に関する。
【０００２】
【従来の技術】
鰹節等の節類や昆布類は和風だしを調製するうえで欠かせないだし原料である。だしを調製する場合、大別すると、抽出に用いる水を加熱しない冷水抽出法と、沸騰水を用いる加熱抽出法がある。
そして昆布類をだし原料とする場合には、加熱抽出法では昆布類から旨味成分だけでなく、ぬめりの原因となる成分も抽出されるために、このだしを使用すると調理食品の品質に悪影響を及ぼすことになる。そこで従来昆布をだし原料を用いるだし類の調製はもっぱら冷水抽出法が採用されていた。
一方節類をだし原料とする場合、上品ですっきりしただし類を必要とする場合には冷水抽出法により行い、雑味や旨味が強いだし類を必要とする場合は、加熱抽出法が採用されていた。
【０００３】
従って、従来、昆布類のまったりとした風味と節類の強い旨味を有する合わせだし類を調製する場合、昆布類を冷水抽出して得られただしを沸騰させ、そこに節類を加えて加熱抽出する方法により行われていた。
しかしながら、この方法では昆布類の旨味を十分に引出せないばかりでなく、節類由来の酸味が強くなる欠点があった。
【０００４】
【発明が解決しようとする課題】
そこで、本発明者等は昆布類および節類由来の旨味を引出しながら、昆布類由来のぬめりがなく、かつ、節類由来の酸味を抑制する合わせだしの抽出方法について種々研究を重ねた結果本発明を完成するに至った。
【０００５】
【課題を解決するための手段】
すなわち、本発明は、昆布類を水と共に８５〜９５℃に達する迄加熱した後昆布類を除去することなく、さらに節類を加えて加熱する、合わせだしの抽出方法である。
【０００６】
【発明の実施の形態】
本発明に用いる昆布類としては、真昆布、羅臼昆布、利尻昆布、日高昆布等が挙げられるが、その種類や産地を問わずいずれのものでも使用することができる。これらの昆布類は目的に合わせて１種または２種以上を適宜選択して用いることができる。
昆布類の使用量は、抽出に用いる水に対して乾物換算で０．３〜５．０重量％の範囲が好ましい。
【０００７】
また本発明に用いる節類としては、本鰹、宗田鰹、真鰹、鯖、鮪、鯵、鰯等の通常だし抽出に用いられる節類であれば特に制限なくいずれのものでも使用することができる。これらの節類は、目的に合わせて１種または２種以上を適宜選択して用いることができる。
節類の使用量は、抽出に用いる水に対し、乾物換算で５〜１５重量％の範囲が好ましい。
【０００８】
次に本発明の合わせだしの抽出方法について説明する。
本発明は、まず昆布類を水に加えて８５〜９５℃に達するまで加熱する。加熱温度が８５〜９５℃に達すると昆布類からぬめりが生じるようになり、時間の経過と共にぬめりが大量に生ずるようになる。
本発明は、前記８５〜９５℃の温度帯に達した時点で節類を加えて、さらに加熱する。これにより昆布類から生ずるぬめりを抑制することができると共に、加熱することによって昆布類および節類からだしを十分に抽出し、節類由来の酸味成分・生臭味のない合わせだしを得ることができる。
節類を加えた後の加熱条件は８５〜９５℃で５〜３０分間加熱することが好ましい。
【０００９】
【実施例】
次に本発明をさらに具体的に説明するために実施例を掲げるが、本発明は以下の実施例のみに限定されるものではない。
【００１０】
実施例１
水３０Ｌに角切り昆布０．３ｋｇを加えて加熱し、８５℃に達した時点で、宗田鰹節３ｋｇを加えてさらに８５℃の条件下で２０分間加熱して、だしを抽出した。次に、ろ布により昆布と宗田鰹節を取り去り、合わせだしを得た。
【００１１】
実施例２
水３０Ｌに角切り昆布０．３ｋｇを加えて加熱し、９０℃に達した時点で、宗田鰹節３ｋｇを加えてさらに９０℃の条件下で２０分間加熱して、だしを抽出した。次に、ろ布により昆布と宗田鰹節を取り去り、合わせだしを得た。
【００１２】
実施例３
水３０Ｌに角切り昆布０．１５ｋｇを加えて加熱し、９０℃に達した時点で、宗田鰹節３．６ｋｇを加えてさらに９０℃の条件下で２０分間加熱して、だしを抽出した。次に、ろ布により昆布と宗田鰹節を取り去り、合わせだしを得た。
【００１３】
実施例４
水３０Ｌに角切り昆布０．４５ｋｇを加えて加熱し、９０℃に達した時点で、宗田鰹節２．４ｋｇを加えてさらに９０℃の条件下で２０分間加熱して、だしを抽出した。次に、ろ布により昆布と宗田鰹節を取り去り、合わせだしを得た。
【００１４】
比較例１
水３０Ｌに角切り昆布０．３ｋｇを加えて１時間冷水抽出した後、昆布を取り去り、昆布だしを得た。得られた昆布だしを９５℃まで加熱し、そこに宗田鰹節３ｋｇを加えてさらに、９５℃の条件下で２０分間加熱して、だしを抽出した。次に、ろ布により宗田鰹節を取り去り、合わせだしを得た。
【００１５】
比較例２
水３０Ｌに角切り昆布０．３ｋｇを加えて、１時間冷水抽出した後、昆布を取り去り、昆布だしを得た。得られた昆布だしを９０℃まで加熱し、そこに宗田鰹節３ｋｇを加えてさらに９０℃の条件下で２０分間加熱して、だしを抽出した。次に、ろ布により宗田鰹節を取り去り、合わせだしを得た。
【００１６】
比較例３
水３０Ｌに角切り昆布０．３ｋｇを加えて加熱し、７５℃に達した時点で、宗田鰹節３ｋｇを加えてさらに７５℃の条件下で２０分間加熱して、だしを抽出した。次に、ろ布により昆布と宗田鰹節を取り去り、合わせだしを得た。
【００１７】
比較例４
水３０Ｌに角切り昆布０．３ｋｇを加えて加熱し、８５℃に達した後、さらに同温度の条件下１０分間加熱した後宗田鰹節３ｋｇを加えて８５℃の条件下で２０分間加熱してだしを抽出した。次にろ布により昆布と宗田鰹節を取り去り、合わせだしを得た。
【００１８】
試験例
実施例１〜４および比較例１〜４において得られた合わせだしについて、１０名のパネラーによって表１の評価基準によって昆布由来の風味とぬめり、宗田鰹節由来の旨味と酸味の観点から官能評価を行った。その評価結果を示せば表２のとおりである。
【００１９】
【表１】
2005040033.tif 000002
【００２０】
【表２】
2005040033.tif 000003
【００２１】
【発明の効果】
本発明方法によれば、昆布類由来のぬめりと共に節類由来の酸味が抑制され、昆布類および節類由来の優れた旨味を有する合わせだし類を得ることができる。
(57)【要約】【課題】魚肉シート、蓄肉シート或いは小麦粉、澱粉その他穀類の粉粒体を主成分とするシート上に香辛料等が均一に混ざるプロセスチーズを載せたチーズ加工品の製造方法を提供する。【解決手段】プロセスチーズを薄皮状に切削するか、或いは粉末状に粉砕したのち、ベーコンや香辛料を混入し、ついで魚肉シート、畜肉シート或いは小麦粉、澱粉、その他穀類の粉粒体を主成分とするシート上に載せる。【選択図】なし【特許請求の範囲】
【請求項１】
プロセスチーズを薄皮状に切削し、或いは粉末状に粉砕する工程と、魚肉シート、蓄肉シート或いは小麦粉、澱粉その他の穀類の粉粒体を主成分とするシートを製造する工程と、粉砕したプロセスチーズに香辛料等を混入する工程と、シート上に香辛料等を混入した薄皮ないし粉末状のプロセスチーズを載せる工程とからなることを特徴とする。
【発明の詳細な説明】
【技術分野】
【０００１】
本発明は、魚肉シート、畜肉シート或いは小麦粉、澱粉、その他穀類の粉粒体を主成分とするシート上に、例えばベーコンや香辛料を混ぜたチーズを載せたピザ、グラタン、珍味食品等のチーズ加工品の製造方法に関する。
【背景技術】
【０００２】
チーズには、ナチュラルチーズと、ナチュラルチーズを粉砕して乳化剤を加え、加熱溶融して成形したプロセスチーズがある。
【０００３】
小麦粉を主成分とするシート上にベーコンや香辛料と共にチーズを載せたピザを例にとっていば、チーズにナチュラルチーズを使用した場合、チーズから油が分離してべと付くという不具合がある。これに対し、プロセスチーズは油が分離してベト付くといった問題はないが、加熱しても溶けにくゝ、チーズの塊がそのまゝ残って香辛料と混入しにくい。
【発明の開示】
【発明が解決しようとする課題】
【０００４】
プロセスチーズの製造時、すなわち粉砕したナチュラルチーズに乳化剤を加えて加熱溶融した状態で香辛料等を加えて混ぜ合わせれば、香辛料が混入したプロセスチーズを得ることができるが、既存のプロセスチーズを使う場合、香辛料等と混入しにくゝ、チーズの塊がそのまゝ残る、という不具合が生ずる。
【０００５】
本発明は、プロセスチーズを用いることによる上記の問題を解消し、プロセスチーズに香辛料等を均一に混ぜたチーズ加工品の製造方法を提供することを目的とする。
【課題を解決するための手段】
【０００６】
本発明はそのため、プロセスチーズを薄皮状に切削し、或いは粉末状に粉砕する工程と、魚肉シート、蓄肉シート或いは小麦粉、澱粉その他の穀類の粉粒体を主成分とするシートを製造する工程と、粉砕したプロセスチーズに香辛料等を混入する工程と、シート上に香辛料等を混入した薄皮ないし粉末状のプロセスチーズを載せる工程とからなることを特徴とする。
【０００７】
本発明のチーズ加工品によると、プロセスチーズは薄皮ないし粉末状であるため、加熱すると容易に溶融し、香辛料等が均一に混入したチーズ加工品を得ることができる。
【発明の効果】
【０００８】
本発明によると、魚肉シート、蓄肉シート或いは小麦粉、澱粉その他穀類の粉粒体を主成分とするシート上に香辛料等が均一に混ざるプロセスチーズを載せたチーズ加工品を得ることができる。
【実施例】
【０００９】
プロセスチーズをスライスカッターで切断して薄皮状にしたのち、これにベーコンや香辛料を下記配合比で配合して混入し、別途作成した魚肉シート等上に載せた。そしてオーブンに入れ、１５０℃で１〜３分間加熱して取り出したところ、チーズが溶融し塊は見られなかった。
【００１０】
配合比
チーズ      ９０〜９７重量％
ベーコン    ２〜７重量％
香辛料      ０．１〜０．２重量％
(57)【要約】【課題】従来の傘は、持ち歩きと、差す時に片手が握った状態なので、不便という問題があった。【解決手段】手で握っていた柄を、片側の肩に巻き付けて掛けられる様に、構成した。これにより、使用者の両手が自由に使えることが出来るようになった。【選択図】図２
2005040557.tif 000002
【特許請求の範囲】
【請求項１】
手で持つ部分を、片側の肩に、回し傘を差せるようにし、雨降りの時に、両手を自由に使える傘。
【発明の詳細な説明】
【技術分野】
【０００１】本発明は、両手が使える状態で、柄の部分を肩に巻き、傘を差す。
【背景技術】
【０００２】従来ので、肩に掛け、パイプで上下から抑えつけるものがあった。
【例えば特許文献１参照特開１０−３３２２３】
【発明の開示】
【発明が解決しようとする課題】
【０００３】以前のものは、常に柄を握って持ち歩かなくてはいけない負担と、差したときには、片手を握っていなければならず動きにくい。【０００４】本発明は、持ち歩きのとき、また、傘を差した時の状態で、手が自由に使え、デザイン的にも従来の傘と、劣らず実現する事を目的とするものである。
【課題を解決するための手段】
【０００５】図３の（１）のスポンジカバーの中に（２）のフレキシブルを挿入して柄を構成する。
この柄を図１の（３）のパイプをジョイントする。この（１）を図２のように、片側の肩に下から上へと巻き込む。
【発明の効果】本発明は、上述とおり構成されているので、次に記載する効果を奏する。【０００６】図２の如して柄（１）を肩に巻くので、傘の重量は総て肩で受け、手や腕の負担が掛からない。【０００７】持ち歩く時に、肩に挟んで保持出来るので、両手が自由になる。【０００８】図２の様に傘を差すことが出来るので、両手を使う事が出来る。
【発明を実施するための最良の形態】
【０００９】図２のように、傘を差す時に、（１）の柄を肩に巻き付けて使用する。
【実施例】
【０００１０】図２のように、傘を差した状態で、傘の柄を肩に巻き付けて安定を図る。
【産業上の利用可能性】
【０００１１】この発明は、従来は柄を手で握って保持する変わりに、柄を肩に掛け、脇で安定させて保持するものである。
【図面の簡単な説明】
【０００１２】
【図１】本発明の正面図である
【図２】本発明の使用状態を示す参考図
【図３】本発明の柄の部分の拡大図
【符号の説明】
【０００１３】１傘の柄のスポンジカバー
２フレキシブル
３傘のパイプ
【図１】
2005040557.tif 000003
【図２】
2005040557.tif 000004
【図３】
2005040557.tif 000005
(57)【要約】      （修正有）【課題】暗い店内でもアピールプレートのアイキャッチ効果を発揮し、尚且つ、従来のアピールプレートと同様の持ち運び、保管の利便性を保持する。【解決手段】アピールプレートにＥＬシートを内蔵し、プレート挟持部より電力を供給することにより、アピールプレートを発光させることによってアイキャッチ効果を向上させることが出来る。また、発光部にＥＬシートを使うことにより、従来のアピールプレートと大きさ、厚み、湾曲性を変えることなく発光させることが出来るため、持ち運び、保管についても、従来通りの取り扱いが出来る等優れた効果がある。【選択図】図１
2005040558.tif 000002
【特許請求の範囲】
【請求項１】
パチンコ店で使用されている、アピールプレートにアピール面と電極面を有し、かつ前記アピール面に発光シートを内蔵すると共に前記電極面より電力を供給し、前記発光シートが点灯、点滅するようにしたことを特徴とする、光るアピールプレート。
【請求項２】
表示したいパターンに加工した発光シートをアピールプレートに貼り付けて、発光シートの点灯、点滅により前記表示したいパターンのサイン、ロゴが浮かび上がるようにしたことを特徴とする請求項１記載の光るアピールプレート。
【発明の詳細な説明】
【技術分野】
【０００１】本発明は、従来のアピールプレートの形状を変えずに、プレート自体またはプレート上に表示されている画像、文字のみを点灯・点滅させアイキャッチ効果を促進する、光るアピールプレートに関するものである。
【発明の開示】
【発明が解決しようとする課題】
【０００２】従来のアピールプレートは、カラー印刷を施した紙をラミネート加工して使用し、アイキャッチ効果を得ている。しかし、昨今のパチンコ店では店内照明を落とした店も有り、通常のアピールプレートでは見づらく、アイキャッチ効果も期待できない。暗い店内でもアイキャッチ効果を発揮するには、アピールプレートの中に照明器具を内蔵して発光させる方法（例えば実開平６−４８７７０）が有るが、アピールプレートに厚みが出来、持ち運び、保管に不便である。
【課題を解決するための手段】
【０００３】請求項１の発明に係る、光るアピールプレートは発光シートを内蔵している為、従来のアピールプレートと何ら形状の変化は無く暗い店内でも十分なアイキャッチ効果を得る事が出来る。
【発明の効果】
【０００４】また、請求項２の発明に係る、光るアピールプレートは、発光シートの点灯、点滅により、サイン・ロゴが浮かび上がるようにしている為、従来以上のアイキャッチ効果が期待できる。
【発明を実施する為の最良の形態】
【０００５】実施の形態１．請求項１の発明の実施の形態を図１、図２、図３について説明する。図１はアピールプレート正面図、図２は図１のａ−ｂで切断した断面図、図３は電力供給部を内蔵したプレート挟持部である。
【０００６】図１、図２、図３において、１は発光部分、２はアピールする内容を印刷したシート部分、３は発光部分へ電力を供給するための電極部分、４はそれぞれを一つに固定するための保護シート（ラミネート）である。
【０００７】発光部分に利用している発光シートはＥＬシート（例えば特開２００２−２７０３７５）を利用しているため、非常に薄く湾曲することも可能であり、持ち運び、保管については、従来のアピールプレートと何ら変化は無い。
【０００８】図１のアピールプレートを図３のプレート挟持部へ差し込む事により、図１の４（電極部分）と図３の４（電極部分）が接触し、電力がアピールプレートへ供給される。電力供給により、図２の１（発光部分）が発光し、図１の２（印刷したシート部分）が発光により強調される。
【０００９】実施の形態２．請求項２の発明の実施の形態を図４、図５、図６について説明する。図４はアピールプレート正面図、図５は図４のｃ−ｄで切断した断面図、図６は電力供給部を内蔵したプレート挟持部である。
【００１０】図４、図５、図６において、５は表示したいパターンに加工したＥＬシート、６はそれぞれの加工したＥＬシートヘ電力を供給ための電極部分、７はそれぞれを一つに固定するための保護シート（ラミネート）である。
【００１１】図４のアピールプレートを図６のプレート挟持部へ差し込む事により、それぞれの電極６が接触し、電力がアピールプレートへ供給される。電力供給により図４の５（表示したいパターンに加工したＥＬシート）が発光し、表示パターンが強調される。
【００１２】また、電力供給のタイミング、パターンを変えることにより、発光、点滅などいろいろなパターンで点灯させることが出来る。
【発明の効果】
本発明は、上記のごとく構成されたものであるから、アピールプレートに発光体を内蔵することによってアイキャッチ効果を向上させることが出来ると共に、従来のアピールプレートと大きさ、厚み、湾曲性に変わりが無いので、持ち運び、保管についても、従来通りの取り扱いが出来る等優れた効果がある。
【図面の簡単な説明】
【図１】この発明の実施形態１を示す正面図である。
【図２】図１をａ−ｂで切断した断面図である。
【図３】電力供給部を内蔵したプレート挟持部を真上から見た図である。
【図４】この発明の実施形態２を示す正面図である。
【図５】図４をｃ−ｄで切断した断面図である。
【図６】電力供給部を内蔵したプレート挟持部を真上から見た図である。
【符号の説明】
１発光部分。
２アピールする内容を印刷したシート部分。
３発光部分へ電力を供給するための電極部分。
４それぞれを一つに固定するための保護シート（ラミネート）。
５表示したいパターンに加工したＥＬシート。
６それぞれの加工したＥＬシートヘ電力を供給ための電極部分。
７それぞれを一つに固定するための保護シート（ラミネート）。
【図１】
2005040558.tif 000003
【図２】
2005040558.tif 000004
【図３】
2005040558.tif 000005
【図４】
2005040558.tif 000006
【図５】
2005040558.tif 000007
【図６】
2005040558.tif 000008